(57)【要約】【課題】  鍵の演奏側先端にかかる静荷重を容易に調整できるピアノの打弦装置を提供する。【解決手段】  鍵３の演奏側とは反対側上部において鍵３の長さ方向に沿って配置されると共に、一端がピアノ本体に上下方向に揺動自在に固定され、上下方向に変位可能な開放端側が、自重で鍵３の上面に接触して鍵３に荷重をかけるように構成された長尺状のウェイトレバー２１を鍵３毎に備えるようにする。このようにすることにより、打弦装置を分解して鍵３を取り外すことなく、ウェイトレバー２１を交換することにより鍵３にかかる静荷重の調整が行える。【選択図】  図１
2005049790.tif 000002
【特許請求の範囲】
【請求項１】
ピアノの鍵の演奏側とは反対側上部において鍵の長さ方向に沿って配置されると共に、一端がピアノ本体に上下方向に揺動自在に固定され、上下方向に変位可能な開放端側が自重で鍵の上面に接触して鍵に荷重をかけるように構成された、長尺状のウェイトレバーを鍵毎に備えたことを特徴とするピアノの打弦装置。
【請求項２】
更に、前記ウェイトレバーの上部で複数のウェイトレバーを跨ぐようにピアノ本体に固定され、該複数のウェイトレバーの上方向への揺動を規制する、長尺状のストッパーレールを備えたことを特徴とする請求項１に記載のピアノの打弦装置。
【請求項３】
更に、前記ウェイトレバーを鍵の長さ方向に移動させる移動手段を備えたことを特徴とする請求項１又は請求項２に記載のピアノの打弦装置。
【請求項４】
更に、前記ウェイトレバーと鍵との間に複数の鍵を跨ぐように配置され、前記ウェイトレバーを持ち上げることによって前記ウェイトレバーが鍵に接触可能な通常位置から前記ウェイトレバーを鍵から離す退避位置へ変位可能にピアノ本体に固定された、長尺状のリフティングレールを備えたことを特徴とする請求項１〜請求項３の何れかに記載のピアノの打弦装置。
【請求項５】
更に、一端が前記リフティングレールに接続され、他端がピアノの外側に引き出された接続部材を備え、
該接続部材の他端をピアノの外部で操作することにより前記リフティングレールを変位できるように構成されたことを特徴とする請求項４に記載のピアノの打弦装置。
【請求項６】
前記接続部材の他端は、演奏用ペダルであることを特徴とする請求項５に記載のピアノの打弦装置。
【請求項７】
前記ウェイトレバーが鍵と接触する部分は、鍵の上面を転動可能なローラからなることを特徴とする請求項１〜請求項５の何れか記載のピアノの打弦装置。
【請求項８】
前記ウェイトレバーに対向する前記鍵の表面には、レバー受けスクリューが設けられ、一方、前記レバー受けスクリューに対向する前記ウェイトレバーの下面には、前記レバー受けスクリューが前記ウェイトレバーと直接摩擦する場合よりも摩擦力を小さくすることが可能な材料で形成された摩擦低減層が積層され、
該摩擦低減層は、前記ウエイトレバーの揺動中心である回転軸に近いほど、前記摩擦力を小さくすることが可能な材料で形成されていることを特徴とする請求項１〜６いずれか記載のピアノの打弦装置。
【発明の詳細な説明】
【技術分野】
【０００１】
本発明は、鍵を操作するとき鍵の演奏側先端にかかる静荷重を調整することができるピアノの打弦装置に関する。
【背景技術】
【０００２】
図１１は、鍵１１０、伝達部１２０及びハンマー部１３０からなるピアノの打弦装置１００を表す側面図である。従来は、図１１に示すように、鍵１１０押下時の鍵１１０の演奏側先端１１１に掛かる静荷重を調整するため、鍵１１０の演奏側先端１１１の側面１１２に孔を設け、その孔に錘となる鉛１１５を埋設していた。そして、音のイメージに合わせ、低音側から高音側に向かって徐々に鍵１１０の静荷重が軽くなるように、鉛１１５の重さを調整していた。
【０００３】
この静荷重は、ピアノの演奏者に鍵１１０のタッチ感として感じられ、この調整如何でピアノの良否が決定される重要なパラメータの一つであり、演奏者の技量や好みに応じて慎重に調整されるべきものである。
【０００４】
通常、低音側の弦は高音側の弦に比べて太いため、低音側の弦を叩くハンマー１３１は、高音側のハンマー１３１よりも大きくて重いものが用いられる。そのため、静荷重は鉛１１５を取り付けない状態でも低音側が重いが、その状態のままでは叩く弦の本数の違う鍵１１０が隣り合う部分などでは、他の部分に比べて隣り合う鍵１１０間の静荷重の差が特に大きいといった問題がある。
【０００５】
静荷重の調整は、これらの様々な要因を考慮して、静荷重が高音側から低音側に向かって適正な範囲内で自然に増えるよう、鉛１１５の重さを選定して各鍵１１０に鉛１１５を作製し、各鉛１１５を各鍵１１０に取り付けることによって行われる（例えば、特許文献１参照）。
【特許文献１】実公昭５３−２３２１９号公報
【発明の開示】
【発明が解決しようとする課題】
【０００６】
しかし、ピアノが組立てられた後、鍵の演奏側先端にかかる静荷重を調整するには、鉛１１５又は、鉛１１５と鍵１１０の両方を交換する必要があり、そのためには、打弦装置１００を分解する作業が必要であった。したがって、ピアノの組立後に演奏者の上達に応じて静荷重を調整することは容易ではなかった。
【０００７】
本発明は、こうした問題に鑑みなされたものであり、鍵の演奏側先端にかかる静荷重を容易に調整できるピアノの打弦装置を提供することを目的とする。
【課題を解決するための手段】
【０００８】
上記課題を解決するためになされた請求項１に記載のピアノの打弦装置は、ピアノの鍵の演奏側とは反対側上部において鍵の長さ方向に沿って配置されると共に、一端がピアノ本体に上下方向に揺動自在に固定され、上下方向に変位可能な開放端側が自重で鍵の上面に接触して鍵に荷重をかけるように構成された、長尺状のウェイトレバーを鍵毎に備えたことを特徴とする。
【０００９】
このように、ウェイトレバーは鍵に荷重をかけているため、ウェイトレバーの重量を変更すれば鍵の静荷重を調整することができる。しかも、ウェイトレバーは鍵の上部に設置されているため、従来のような鍵に埋設された鉛を交換する場合と比べ、容易にウェイトレバーの重量を変更することができて鍵の静荷重を調整することができる。
【００１０】
また、他の効果としては、本発明をアップライトピアノに適用するとグランドピアノに近いタッチ感が得られる。なぜなら、ウェイトレバーはグランドピアノのハンマー部の運動に似ており、演奏者が鍵を押した直後は鍵の動きに連動し、演奏者が鍵を押しきって鍵の運動が停止するとその後は鍵から離れて単独で運動するからである。
【００１１】
ところが、このように鍵の上部にウェイトレバーを単に設置するだけでは、演奏者が鍵を強く押した際にウェイトレバーが大きく跳ね上がって再び鍵に接触する状態に戻るまでに時間を要し、演奏者に違和感を持たせる恐れがある。そこで請求項２に記載のように、ウェイトレバーの上部で複数のウェイトレバーを跨ぐようにピアノ本体に固定され、複数のウェイトレバーの上方向への揺動を規制する長尺状のストッパーレールを備えるようにするとよい。
【００１２】
このようにストッパーレールを備えると、ウェイトレバーが再び鍵に接触する状態に戻るまでの時間を、ストッパーレールの設置位置によって適切に設定することができ、演奏者に良好なタッチ感を与えることができる。
【００１３】
ところで、静荷重を調整する方法は、上述したようなウェイトレバーの重量を変更することによって調整する方法もあるが、請求項３に記載のように、更に、ウェイトレバーを鍵の長さ方向に移動させる移動手段を備えるようにして、その移動手段を用いてウェイトレバーを鍵に対して移動させることにより、静荷重を調整してもよい。
【００１４】
なぜウェイトレバーを鍵に対して移動させることにより静荷重の調整が可能かと言うと、ウェイトレバーを移動させることにより、鍵がウェイトレバーから受ける荷重の作用点と鍵の支点（つまり筬中との接触位置）との距離が変化するためである。
【００１５】
このようになっていれば、ウェイトレバーを取り替えずに静荷重の調整が行えるため、静荷重の調整作業が容易化する。
一方、演奏者の年齢や好み等によって上述したようなウェイトレバーによる静荷重への影響を一時的に無くしたい場合も考えられる。そのような要望を容易に実現するためには、請求項４のようになっているとよい。すなわち、ウェイトレバーと鍵との間に複数の鍵を跨ぐように配置され、ウェイトレバーを持ち上げることによってウェイトレバーが鍵に接触可能な通常位置からウェイトレバーを鍵から離す退避位置へ変位可能にピアノ本体に固定された、長尺状のリフティングレールを備えるようにするとよい。
【００１６】
このようになっていれば、ウェイトレバーが鍵に対して接触しない退避位置までリフティングレールを上昇させることにより、鍵にウェイトレバーによる荷重がかからない状態が作れる。また反対に、ウェイトレバーが鍵に接触する通常位置までリフティングレールを下降させると、鍵にウェイトレバーによる荷重がかかる状態を作ることができる。すなわち、上述したウェイトレバーを取り外したり交換したりすることなく、容易に静荷重を２段階に切り替えることができるピアノを提供できる。
【００１７】
そして、このリフティングレールを上下させる切り替え操作はピアノの外板をはずして行うようになっていてもよいが、請求項５に記載のように、一端がリフティングレールに接続され、他端がピアノの外側に引き出された接続部材を備え、その接続部材の他端をピアノの外部で操作することによりリフティングレールを変位できるようになっているとよい。
【００１８】
このようになっていると、演奏者等がピアノの外板をはずすことなく、リフティングレールの位置（換言すれば鍵に加わる静荷重）を切り替えることができて使い勝手が良い。
また、接続部材の他端は、演奏用ペダルであってもよい。このようにすれば、演奏中に鍵の静荷重を様々に調整することができる。そのため、本発明のピアノは、従来のピアノでは出せなかった強さあるいは弱さの演奏音を出すことができる。尚、この場合、他の演奏用ペダル（ソフトペダル、ソステヌートペダル、ダンパーペダル）に並列に配置するとよい。
【００１９】
ところで、ウェイトレバーが鍵と接触する部分は、例えば先端を丸めた形状を有していてもよいが、ウェイトレバーの重量によっては鍵との間に過剰な摩擦が生じて鍵のタッチ感に影響を及ぼす場合がある。そこで、ウェイトレバーの重量を変更することなくウェイトレバーと鍵との間の摩擦を軽減させたい場合には、請求項７に記載のように、ウェイトレバーが鍵と接触する部分は、鍵の上面を転動可能なローラであるとよい。
【００２０】
このようになっていると、ウェイトレバーの接触部と鍵との間の摩擦を軽減させることができ、接触部の摩耗も防ぐことができる。
また、ウェイトレバーが鍵と接触する部分においては、ウェイトレバーに対向する鍵の表面にレバー受けスクリューを設け、このレバー受けスクリューでウェイトレバーを持ち上げるよう構成してもよい。そして、その場合、レバー受けスクリューに対向するウェイトレバーの下面には、レバー受けスクリューがウェイトレバーと直接摩擦する場合よりも摩擦力を小さくすることが可能な材料で形成された摩擦低減層を積層してもよい。このように構成すると、ウエイトレバーとレバー受けスクリューとの間に摩擦力が生じ、その摩擦力により、ウェイトレバーの重さ以上に静荷重を増やすことができる一方で、レバー受けスクリューが、ウエイトレバー上を直接滑らせた場合に比べ、スムーズに滑るので、スムーズにウェイトレバーを押し上げることができる。
【００２１】
しかし、摩擦低減層を一つの材料で形成すると、レバー受けスクリューとウエイトレバーとの接点がウエイトレバーの揺動中心である回転軸に近くなるにつれ、急激に静荷重が重くなることがあり、静荷重を調整しにくくなると言う問題もあった。そのため、摩擦低減層は、ウエイトレバーの揺動中心である回転軸に近いほど、摩擦力を小さくすることが可能な材料で形成することがより好ましい。このように構成すると、見かけ上静荷重が略一定の割合で増加するので、静荷重の調整を容易に行うことができる。
【発明を実施するための最良の形態】
【００２２】
以下、本発明を実施するための最良の形態について図面を用いて説明する。
［第１実施形態］
図１はアップライトピアノの打弦装置１を表す側面図である。図１に示すように、打弦装置１は、主に、鍵３、伝達部５（一部図示）及びハンマー部（図示せず）からなり、演奏者の押鍵動作による鍵３の動きを、ハンマー部が弦（図示せず）を打弦する打弦運動に変える働きをする。
【００２３】
このうち、鍵３は、ピアノ１台あたり８８鍵設置され、筬中７を支点に揺動できるように設置される。この鍵３は押鍵されると鍵３の演奏者側の反対側が上昇して、その押鍵動作を伝達部５に伝達する。具体的には押鍵動作は、鍵３の演奏者側と反対側先端に設けられたキャプスタンワイヤー９の先のキャプスタンボタン１１を介して伝達部５に伝達され、そして更にハンマー部に伝達される。以下、鍵３の演奏者側（図１左側）を手前側、その反対側（図１右側）を奥側と言う。
【００２４】
鍵３の奥側の上部には、複数の鍵３を跨ぐように長尺状のストッパーレール１３が設けられており、両端をブラケット１５（図示せず）によってピアノ本体に固定されている。そして、ストッパーレール１３の奥側には、鍵３毎に上下方向に長いフレンジ１７が上部をネジ止めされて固定されている。更に、そのフレンジ１７の下部に設けられた回転軸１９にウェイトレバー２１が回転自在に取り付けられている。尚、ウェイトレバー２１は、鍵３と平行に、回転軸１９が奥側になり手前側が揺動するように取り付けられている。
【００２５】
ウェイトレバー２１の上面には、ウェイトレバー２１がストッパーレール１３と接触した際に発生する音を軽減させるためのフェルト２３が設けられている。一方、ウェイトレバー２１の下面の手前側には鍵３に接触する接触部２５が設けられている。また、接触部２５が接触する鍵３の上面にも、接触時の音を軽減するためのフェルト２７が設けられている。また、ウェイトレバー２１の側面にはウェイトレバー２１の重量を調整するために鉛からなる錘２９が埋め込まれている。
【００２６】
ウェイトレバー２１の奥側の下には、複数のウェイトレバー２１を持ち上げるための、内部が空洞になった長尺状のリフティングレール３１が設けられている。
図２は、リフティングレール３１の近傍を示す斜視図である。図２に示すように、リフティングレール３１は、鍵３の配列方向と同方向に設けられたリフティングレバー３２によって両端及び中間数カ所を固定されている。尚、リフティングレバー３２は、ウェイトレバー２１と同様にストッパーレール１３にフレンジ１７を介して揺動可能に固定されている。リフティングレール３１の上面には、ウェイトレバー２１と接触する時の衝撃を和らげるために、フェルト３３が設けられている。また、リフティングレール３１の一端下部には、棚板３４を貫通して下方から上方に延びる突揚棒３５が設けられている。
【００２７】
突揚棒３５の上端にはリフティングレール３１と接触した時の衝撃を和らげるため、ゴムキャップ３７が取り付けられ、その中心部にはさらに突出する形で金属製のピン３９が設けられている。一方、リフティングレール３１側には、そのピン３９をガイドするための孔（図示せず）が設けられている。
【００２８】
図１に戻り、突揚棒３５の下端には、Ｌ字状の形状をし、一端側で突揚棒３５を支持できるようになったＬ字金具４１が設けられ、Ｌ字金具４１はその角部を軸に回転できるようになっている。Ｌ字金具４１の他端には、ワイヤー（図示せず）が取り付けられ、ワイヤーの先にはハンドル（図示せず）が設けられていて、このハンドルは手前側に引いたり、奥側に戻したりすることができ、固定装置（図示せず）によってそれぞれの状態で固定することができるようになっている。尚、突揚棒３５、Ｌ字金具４１、ワイヤー及びハンドルが、特許請求の範囲に記載の接続部材に相当する。
【００２９】
このように構成された打弦装置１は、次のように動作する。
演奏者によって鍵３が押鍵されると、鍵３の奥側が上昇し、先端に設けられたキャプスタンワイヤー９と共にその先のキャプスタンボタン１１が上昇して、鍵３の運動が伝達部５に伝達される。それと共に、鍵３が、ウェイトレバー２１の接触部２５を介して、ウェイトレバー２１を上方に持ち上げる。この結果、ウェイトレバー２１は、回転軸１９を軸にして矢印Ａの方向に回転し、ストッパーレール１３に当たるまで回転運動をする。そして、ウェイトレバー２１はストッパーレール１３に当たると一旦回転運動を止め、その後、ウェイトレバー２１は重力に引かれて矢印Ａの方向とは逆方向に、回転軸１９を軸にして接触部２５が鍵３に接触するまで回転運動をする。
【００３０】
また、前述の図示しないハンドルを手前側に引くことにより、Ｌ字金具４１が矢印Ｂの方向に回転して突揚棒３５を上方に押し上げ、リフティングレール３１が上方に移動してウェイトレバー２１を持ち上げる。その結果、鍵３を押しても鍵３がウェイトレバー２１の接触部２５に接触しなくなる。
【００３１】
逆に、ハンドルを奥側に戻すことにより、Ｌ字金具４１が矢印Ｂの方向とは逆方向に回転して突揚棒３５を下方に下げ、リフティングレール３１とウェイトレバー２１が下方に下がる。その結果、ウェイトレバー２１が鍵３に接触することになり、鍵３に荷重がかかる。以下、この状態のリフティングレール３１の位置を通常位置と言う。
【００３２】
このように構成された打弦装置１においては、ウェイトレバー２１は、打弦装置１全体を分解することなく、それ単体、又はフレンジ１７と共に容易に交換することができ、鍵３にかかる静荷重を調整することができる。また、押鍵開始時はウェイトレバー２１によって鍵３に荷重がかかっているが、鍵３を押しきって鍵３の運動が一旦停止すると、ウェイトレバー２１は鍵３から離れてストッパーレール１３に当たるまで単独で運動する。したがって、ウェイトレバー２１の運動は、グランドピアノのハンマー部の運動に似ており、グランドピアノに近いタッチ感が得られる。
【００３３】
また、前述の図示しないハンドルを引き、通常位置にあるリフティングレール３１をウェイトレバー２１が鍵３に対して接触しない退避位置まで上昇させると、鍵３にウェイトレバー２１による荷重がかからない状態が作れ、反対に、待避位置にあるリフティングレール３１をウェイトレバー２１が鍵３に接触する通常位置まで下降させると、鍵３にウェイトレバー２１による荷重がかかる状態を作ることができる。すなわち、ウェイトレバーを交換することなく、鍵３にかかる静荷重を２段階に切り替えることができるピアノを提供できる。そして、リフティングレール３１を上下させる切り替え操作は、ピアノの外部に設けられたハンドルを操作することにより行えるため、ピアノの外板をはずす必要がなく、外部から鍵３にかかる静荷重の切り替え操作ができて使い勝手が良い。
【００３４】
［第２実施形態］
次に第２実施形態について説明する。以下、第１実施形態との相違点を中心に説明する。
【００３５】
図３は、グランドピアノの打弦装置５１を表す側面図である。図１と同一部分については、同一符号を付すことにより説明を省く。
図３に示すように、打弦装置５１は、主に、鍵３、伝達部５（一部図示）及びハンマー部（図示せず）からなり、演奏者の押鍵動作による鍵３の動きを、ハンマー部が弦（図示せず）を打弦する打弦運動に変える働きをする。
【００３６】
このうち、鍵３は、ピアノ１台あたり８８鍵設置され、筬中７を支点に揺動できるように設置される。この鍵３は手前側（図３右側）を押鍵すると鍵３の奥側（図３左側）が上昇して、その押鍵動作を伝達部５に伝達する。具体的には、押鍵動作は、鍵３の奥側に設けられたキャプスタンスクリュー４７を介して伝達部５に伝達され、伝達部５を介してハンマー部に伝達される。
【００３７】
ストッパーレール１３は、筬中７の上方に位置するようピアノ本体に固定される。そして、ストッパーレール１３の手前側にフレンジ１７が取り付けられ、そのフレンジ１７の回転軸１９にウェイトレバー２１が揺動可動に取り付けられる。つまり、ウェイトレバー２１は、奥側が揺動するように取り付けられる。
【００３８】
ウェイトレバー２１の奥側の下部には、さらに奥側に延びる延長ロッド４３と、その先端にローラ４５が設けられ、鍵３の上面を転がるようになっている。そしてそのローラ４５が接する鍵３の上面には、ローラ４５と鍵３とが接触した時に音を出にくくするためのフェルト４９が設けられている。
【００３９】
リフティングレール３１は第１実施形態と異なり、ウェイトレバー２１の手前側の下部に設けられる。また、突揚棒３５とＬ字金具４１が設けられ、Ｌ字金具４１の突揚棒３５とは反対側一端には、図示しないワイヤーが取り付けられる。そして、そのワイヤーの先には図示しないハンドルが設けられている。
【００４０】
このように構成された打弦装置５１は、次のように動作する。
演奏者によって鍵３が押鍵されると、鍵３の奥側が上昇し、キャプスタンスクリュー４７を介して、鍵３の運動が伝達部５に伝達される。それと共に、鍵３がローラ４５と延長ロッド４３を介して、ウェイトレバー２１を上方に持ち上げる。この結果、ウェイトレバー２１は、回転軸１９を軸にして矢印Ｃの方向に回転し、ストッパーレール１３に当たるまで回転運動をする。そして、ウェイトレバー２１はストッパーレール１３に当たると一旦回転運動を止め、その後、重力に引かれて矢印Ｃの方向とは逆方向に、回転軸１９を軸にしてローラ４５が鍵３に接触するまで回転運動をする。
【００４１】
また、前述の図示しないハンドルを手前側に引くことにより、Ｌ字金具４１が
矢印Ｄの方向に回転して突揚棒３５を上方に押し上げ、リフティングレール３１が上方に移動してウェイトレバー２１を持ち上げる。その結果、鍵３を押しても鍵３がローラ４５に接触しなくなる。
【００４２】
逆に、ハンドルを奥側に戻すことにより、Ｌ字金具４１が矢印Ｄの方向とは逆方向に回転して突揚棒３５を下方に下げ、リフティングレール３１とウェイトレバー２１が下方に下がる。その結果、ローラ４５が鍵３に接触してウェイトレバー２１の荷重が鍵３にかかるようになる。
【００４３】
このように構成された打弦装置５１においても、第１実施形態と同様の作用及び効果が得られ、ウェイトレバー２１の奥側下部には、奥側に延びる延長ロッドが設けられているので、ウェイトレバー２１が鍵の支点（筬中）に近い場合でも、効果的に鍵３に荷重をかけることができる。更に、延長ロッド４３の先端部分、すなわち、鍵３と接触する部位にはローラ４５が設けられているので、ウェイトレバー２１の回転軸１９と、鍵３の回転中心（すなわち筬中７）とをどのような位置関係に配置しても、鍵３がスムーズに動作し、良好なタッチ感を得ることができる。
【００４４】
［第３実施形態］
次に第３実施形態について説明する。以下、第１実施形態との相違点を中心に説明する。
【００４５】
図４は、アップライトピアノの打弦装置７１を表す側面図である。図１と同一部分については、同一符号を付すことにより説明を省く。
図４に示すように、打弦装置７１のウェイトレバー２１は、第１実施形態の打弦装置１のウェイトレバー２１（図１参照）とは設置方向が異なる。打弦装置７１のウェイトレバー２１は、奥側（図４の左側）に延出して配置され、回転軸１９を軸にして揺動するようになっている。そして、その配置に合わせてストッパーレール１３等も設置されている。尚、第１実施形態の打弦装置１のウェイトレバー２１の下面には接触部２５（図１参照）が設けられていたが、本第３実施形態のウェイトレバー２１には、接触音を軽減するためのフェルト８９が下面に設けられている。尚、フェルト８９の代わりにクロスやゴムであってもよい。
【００４６】
そして、ウェイトレバー２１は、その直下の鍵３の上面に設けられたレバー受けスクリュー８５（キャプスタンスクリュー）によって支持されるようになっている。このレバー受けスクリュー８５は、鍵３に対してねじ込んだりゆるめたりすることによって高さを調整することができるようになっている。また、レバー受けスクリュー８５のウェイトレバー２１との接触部は丸みをおびた形状となっている。尚、本第３実施形態では、ウェイトレバー２１にフェルト８９が設けられていたが、レバー受けスクリュー８５のウェイトレバー２１との接触部に接触音防止のためのフェルトを設けるようにしてもよい。
【００４７】
ストッパーレール１３は、板状のレール支持部材７３によって両端及び中間部分（ブレイク部分）が支持されている。そして、レール支持部材７３はそれぞれスライドレール７５の上レール７５ａに固定されている。このように複数存在するスライドレール７５は各々が類似の形状を有しているため、以下はその１つについて説明する。
【００４８】
スライドレール７５は、棚板３４の上に鍵３に平行に、上述したレール支持部材７３の下に設置されている。スライドレール７５は、上レール７５ａと下レール７５ｂとによって構成され、そのうち下レール７５ｂの方はピアノ本体に固定されている。また、下レール７５ｂと上レール７５ａの間には両者の摩擦を低減されるためのベアリング（図示せず）が設けられており、上レール７５ａは下レール７５ｂの上を、奥側と手前側（図４の右側）との間を自在にスライドできるようになっている。そして、上レール７５ａのスライドに伴って上レール７５ａに固定されているレール支持部材７３も奥側と手前側との間を移動し、この移動に伴ってストッパーレール１３及びストッパーレール１３に取り付けられているフレンジ１７及びウェイトレバー２１等も移動する。また、複数存在するスライドレール７５のうちの最も外側に設置されたスライドレール７５の上レール７５ａの手前側先端にはフレンジ７７が設けられており、フレンジ７７に設けられたアームピン７９が、後述するアーム８１から与えられる上レール７５ａのスライド方向以外の力を逃がし、アーム８１と上レール７５ａとを連動させる役目を担っている。
【００４９】
アーム８１は、複数存在するスライドレール７５のうちの最も外側に設置されたスライドレール７５の上レール７５ａにのみ取り付けられている。すなわち、アーム８１は２本存在する。アーム８１のそれぞれの一端は、棚板３４の下面に設けられた取り付け部８３において連結シャフト８７を中心にして回転可能に取り付けられている。その結果、２本のアーム８１は連結シャフト８７を介して連動する。一方、アーム８１の他端は棚板３４の下部から棚板３４を突き抜けて鍵３まで延びている。尚、２本のアーム８１のうち一方は、更にケース部材を貫通してピアノの外側にまで突出しており、演奏者がピアノを開けることなくアーム８１を操作できるようになっている。
【００５０】
このように構成された打弦装置７１は、次のように動作する。
演奏者がアーム８１を矢印Ｅの方向に回転させると、上レール７５ａが奥側にスライドし、そのスライドに伴ってレール支持部材７３、ストッパーレール１３、フレンジ１７及びウェイトレバー２１が奥側（矢印Ｆに示す方向）に移動する。また、演奏者がアーム８１を矢印Ｅと逆方向に回転させると、上レール７５ａが手前側にスライドし、そのスライドに伴ってレール支持部材７３、ストッパーレール１３、フレンジ１７及びウェイトレバー２１が手前側（矢印Ｆに示す方向と反対方向）に移動する。
【００５１】
このように、演奏者がアーム８１を操作することによってウェイトレバー２１等の位置を変更させることができ、それに伴ってウェイトレバー２１の作用点が移動する。その結果、鍵３にかかる静荷重を連続的に調整することができる。
【００５２】
また、２本のアーム８１は連動するよう構成されているため、そのうち一方をピアノの外側から操作するだけで全てのウェイトレバー２１を均一に移動させることが可能である。
【００５３】
次に、鍵３を上方から見た図を用いてウェイトレバー２１とレバー受けスクリュー８５との関係を説明する。図５は低音側の鍵３、ウェイトレバー２１及びレバー受けスクリュー８５を一組だけ抜き出したものを上方から見た図であり、図５（ａ）はウェイトレバー２１が手前側にある場合、図５（ｂ）はウェイトレバー２１が奥側にある場合を示した図である。鍵３は、低音側の鍵３であるため、中間部３ｂで屈折している。尚、図示しないが、高音側の鍵３は、図５とは逆側に屈折している。
【００５４】
図５からわかるように、ウェイトレバー２１を鍵３の演奏部分３ａと平行に移動させても、レバー受けスクリュー８５によってウェイトレバー２１を支持することができる。これが、第１実施形態の打弦装置１のように、ウェイトレバー２１の揺動側先端に接触部２５が設けられていると、ウェイトレバー２１を鍵３の演奏側と平行に移動させた際に、接触部２５が鍵３の上面から外れてしまう可能性がある。
【００５５】
したがって、本第３実施形態のようにレバー受けスクリュー８５を鍵３に設けることによって、ウェイトレバー２１を鍵３の演奏部分３ａと平行に移動させてもよく、鍵３の奥側部分３ｃと平行に移動させなくてもよい。そのため、低音側の鍵３と高音側の鍵３とでウェイトレバー２１の移動方向を変えるといった複雑な仕組みを用意する必用がない。
【００５６】
また、本第３実施形態のウェイトレバー２１は、第１実施形態のウェイトレバー２１とは設置方向、すなわち揺動する側が逆である。この結果、第１実施形態の打弦装置１と比較して本第３実施形態の打弦装置７１は、鍵３が押下されたときにウェイトレバー２１と鍵３との間に生じる摩擦力が大きい。以下、その理由を説明する。
【００５７】
図１に示すように、押鍵された際、第１実施形態のウェイトレバー２１の接触部２５は円弧イに沿った動きをし、接触部２５に接触する鍵３の部位は円弧ロに沿った動きをする。このように円弧イと円弧ロとはほぼ正接状態であるため両円弧の接点付近では、接触部２５とその接触部２５に接触する鍵３の部位は、運動軌跡にあまり差がない。
【００５８】
一方、本第３実施形態では、図４に示すように、レバー受けスクリュー８５は円弧ニに沿った動きをし、レバー受けスクリュー８５に接触するウェイトレバー２１の部位は円弧ハに沿った動きをする。このため、両円弧の交点付近であっても、レバー受けスクリュー８５とそのレバー受けスクリュー８５に接触するウェイトレバー２１の部位は、運動軌跡が大きく異なる。
【００５９】
したがって、第１実施形態の打弦装置１に比べて本第３実施形態の打弦装置７１のほうが、ウェイトレバー２１と鍵３（正確にはレバー受けスクリュー８５）との間に生じる摩擦力が大きい。このため、第３実施形態のようにウェイトレバー２１を配置すれば、ウェイトレバー２１の重さ以上に静荷重を増やすことができる。
【００６０】
ところで、本実施形態のように構成すると、上述したようにウエイトレバー２１とレバー受けスクリュー８５との間に生じる摩擦力により、ウェイトレバー２１の重さ以上に静荷重を増やすことができる。しかし、図８を参照すると分かるように（点線で示したグラフ）、レバー受けスクリュー８２とウエイトレバー２１との接点がウエイトレバー２１の揺動中心である回転軸に近くなるにつれ、急激に静荷重が重くなることがあり、静荷重を調整しにくくなると言う問題もあった。そのため、ウエイトレバーの揺動中心である回転軸に近いフェルト（摩擦低減層）ほど摩擦力が小さいフェルトで形成すること、すなわち、手前側のフェルト８９ａを奥側のフェルト８９ｂより摩擦力が小さい材料で形成することがより好ましい。このように構成すると、図８に示すように、摩擦力が急激に増加することが抑制され（図８の実線で示したグラフ）、見かけ上静荷重が略一定の割合で増加するので、静荷重の調整を容易に行うことができる。
【００６１】
尚、本実施形態の手前側のフェルト８９ａは、例えば人口皮革で構成し、奥側のフェルト８９ｂは、例えば人口皮革より安価なニードルフェルトで構成することが好ましい。また、本実施形態では、フェルト８９の材料として２種類の摩擦抵抗の異なる材料を用いたが、３種類以上の摩擦抵抗の異なる材料を用い、奥側から手前側に向かって摩擦抵抗が少なくなるよう構成してもよい。さらに、フェルト８９は、ウェイトレバー２１の下面全体に積層されている必要はなく、レバー受けスクリュー８５が当接する部分に少なくとも積層されていればよい。
【００６２】
［第４実施形態］
次に第４実施形態について説明する。以下、第３実施形態との相違点を中心に説明する。
【００６３】
図６は、打弦装置９１のうちウェイトレバー２１の付近を表す側面図である。図４と同一部分については、同一符号を付すことにより説明を省く。第４実施形態の打弦装置９１と第３実施形態の打弦装置７１との主な違いは、ストッパーレール１３の有無とウェイトレバー振れ防止レール９３の有無である。つまり、第４実施形態の打弦装置９１には、ストッパーレール１３が無く、代わりにウェイトレバー振れ防止レール９３が設けられている。
【００６４】
このウェイトレバー振れ防止レール９３は、ウェイトレバー２１の上部に位置し、複数の鍵３を跨ぐようにして両端をブラケット９５によってピアノ本体に固定されている。ウェイトレバー振れ防止レール９３の断面形状は、略長方形状をしており、演奏者側と反対側（図６の左側）の下部は曲線となっている。つまり、ウェイトレバー振れ防止レール９３の下面は、演奏者側と反対側方向に進むに連れて上方に反った形状をしている。尚、ウェイトレバー振れ防止レール９３の下面全体には接触音を防止するためのフェルト９７が設けられている。
【００６５】
また、ウェイトレバー２１の演奏者側と反対側（図６の左側）の上部には、鉛からなる錘９９が設けられている。ウェイトレバー２１が回転軸１９を軸にして揺動した際に、この錘９９がウェイトレバー振れ防止レール９３に接触するようになっている。
【００６６】
次に、このように構成された打弦装置９１の動作について説明する。ウェイトレバー２１は、鍵３が演奏者によって押鍵される前はレバー受けスクリュー８５に接触しているが、鍵３が演奏者によって押鍵されると回転軸１９を軸にしてウェイトレバー振れ防止レール９３に接触するまで回転する。なお、第３実施形態の箇所で説明したように、図示しないアーム８１を操作することによってウェイトレバー２１の位置は変更することができる。ウェイトレバー２１を演奏者から遠い位置に変更させた際の様子を表したものが図７である。図７は図６と同様に打弦装置９１のウェイトレバー２１の付近を表す側面図である。図６と同一部分については、同一符号を付すことにより説明を省く。
【００６７】
ウェイトレバー２１が図６に示す位置（つまり演奏者に近い位置）にあるときは、鍵３が押鍵された際にウェイトレバー２１はウェイトレバー振れ防止レール９３の演奏者寄りの下面に接触する。一方、ウェイトレバー２１を図７に示す位置（つまり演奏者から遠い位置）に変更すると、鍵３が押鍵された際にウェイトレバー２１は演奏者から遠い位置のウェイトレバー振れ防止レール９３の下面に接触する。図６及び図７からわかるように、図７の位置にあるウェイトレバー２１は、図６の位置にあるウェイトレバー２１に比べて回転角度が大きくなる。また、図７の位置にあるウェイトレバー２１は、レバー受けスクリュー８５と接触する接触点と回転軸１９との間の距離が図６の位置にあるウェイトレバー２１に比べて増えるため、鍵３の静荷重が増加する。このため、本実施形態４の打弦装置９１によれば、図示しないアーム８１を操作してウェイトレバー２１の位置を変更することによって、その変更に応じて鍵３の静荷重が曲線的に変化する。次にこの静荷重の変化の様子を図８のグラフを用いて説明する。
【００６８】
図８は、ウェイトレバー２１の位置を位置ａ（演奏者に最も近い位置）から位置ｆ（演奏者に最も遠い位置）まで変化させた際の、鍵３の静荷重をプロットしたグラフの一例である。なお、位置ａ，位置ｂ，位置ｃ，位置ｄ，位置ｅ，位置ｆの各間は、等間隔である。図８からわかるように、ウェイトレバー２１の位置を位置ａから位置ｃまで変化させたときの静荷重の増加量は緩やかであるが、位置ｄから位置ｆへと変化させるに連れて静荷重の増加量が急になる。
【００６９】
このように位置ａ〜位置ｃの間は位置ｄ〜位置ｆの間に比べ、ウェイトレバー２１の位置変化による静荷重の変化量が小さいため、ウェイトレバー２１の位置によって静荷重の調整を細かく行うことができる。一方、位置ｄ〜位置ｆの間は、ウェイトレバー２１の位置変化によって静荷重を大きく変化させることができる。このため、ウェイトレバー２１及び錘９９の重さを適切に設定すれば、通常の演奏に適した静荷重の調整範囲については演奏者の好みによって細かく調整でき、指の訓練に使うような静荷重の調整範囲については大きく調整できるようになる。
［第５実施形態］
次に第５実施形態について説明する。以下、第３、４実施形態と異なる点のみ説明する。
【００７０】
図９は、アップライトピアノの正面図である。
このアップライトピアノ６は、図９に示すように、本体の最下部中央に、正面向かって左側から、ウエイトペダル６１、ソフトペダル６２、ソステヌートペダル６３、ダンパーペダル６４を備えている。
【００７１】
ウエイトペダル６１は、他のペダルと同様、一端が本体に回動可能に支持され、遊端側が上方に向かって付勢されており、演奏者が遊端側を足で踏んで操作しやすい所定の演奏位置で止められている。
そして、このウエイトペダル６１は、ウエイトペダル６１の動きを伝える接続部材を介してアーム８１（図４参照）に接続されており、ウエイトペダル６１を操作すると、アーム８１がシャフト８７（図４参照）を中心にして回転するよう構成されている。
そのため、本実施形態のアップライトピアノ６では、ウエイトペダル６１を操作すると、ウエイトレバー２１（図４参照）等の位置を変更することができ、それに伴ってウエイトレバー２１の作用点が移動する。その結果、ウエイトペダル６１を操作することで、演奏中に、鍵３にかかる静荷重を連続的に調整することができるので、本実施形態のアップライトピアノ６は、従来のピアノでは出せなかった強さあるいは弱さの演奏音を出すことができる。
【００７２】
尚、本実施形態では、アップライトピアノについて説明したが、グランドピアノにウエイトペダル６１を備えてもよいことはもちろんである。また、第１、第２実施形態のＬ字金具４１とウエイトペダル６１を接続部材で接続して、鍵３の静荷重を調整可能に構成しても良いことはもちろんである。
【００７３】
以上、本発明の実施形態について説明したが、本発明は、上述した実施形態に限定されるものではなく、種々の態様を取ることができる。
例えば、第１実施形態のウェイトレバー２１の下面に溝を穿設し、接触部２５をその溝に対して手前側方向及び奥側方向に移動できるように構成してもよい。このようにしても、ウェイトレバー２１が揺動する時の作用点が調整でき、容易に鍵３の静荷重を調整できる。
また、第３実施形態〜本第５実施形態では、レバー受けスクリュー８５を鍵３側に設けた例について説明したが、図１０に示すように、スクリュー２１ａをレバー２１側に設けてもよい。このようにスクリュー２１ａをレバー２１側に設ければ、第４実施形態で説明したような移動量に対して静荷重の増加量が急に大きくなるようなことが起こらず、しかも移動量と静荷重とが略比例するので、鍵３の静荷重をより微妙にコントロールすることが可能となる。また、このようにスクリュー２１ａをレバー２１側に設け、このレバー２１を第５実施形態のウエイトペダル６１で操作すれば、鍵３の静荷重をウエイトペダル２１で微妙にコントロールすることができるので、より幅の広い演奏が可能となる。
【図面の簡単な説明】
【００７４】
【図１】第１実施形態のアップライトピアノの打弦装置を表す側面図である。
【図２】第１実施形態のウェイトレバーの近傍を表す斜視図である。
【図３】第２実施形態のグランドピアノの打弦装置を表す側面図である。
【図４】第３実施形態のアップライトピアノの打弦装置を表す側面図である。
【図５】第３実施形態の鍵を上方から見た図である。
【図６】第４実施形態のアップライトピアノの打弦装置を表す側面図である。
【図７】第４実施形態のアップライトピアノの打弦装置を表す側面図である。
【図８】ウェイトレバーの位置変化による静荷重の変化を表すグラフである。
【図９】第５実施形態のグランドピアノの正面図である。
【図１０】アップライトピアノの打弦装置を表す側面図である。
【図１１】従来のグランドピアノの打弦装置を表す側面図である。
【符号の説明】
【００７５】
１…打弦装置、３…鍵、５…伝達部、６…グランドピアノ、７…筬中、９…キャプスタンワイヤー、１１…キャプスタンボタン、１３…ストッパーレール、１５…ブラケット、１７…フレンジ、１９…回動軸、２１…ウェイトレバー、２３…フェルト、２５…接触部、２７…フェルト、２９…錘、３１…リフティングレール、３２…リフティングレバー、３３…フェルト、３４…棚板、３５…突揚げ棒、３７…ゴムキャップ、３９…ピン、４１…Ｌ字金具、４５…延長ロッド、４７…キャプスタンスクリュー、４９…フェルト、５１…打弦装置、６１…ウエイトペダル、６２…ソフトペダル、６３…ソステヌートペダル、６４…ダンパーペダル、７１…打弦装置、７３…レール支持部材、７５…スライドレール、７５ａ…上レール、７５ｂ…下レール、７７…フレンジ、７９…アームピン、８１…アーム、８３…取り付け部、８５…レバー受けスクリュー、８７…連結シャフト、８９…フェルト、９１…打弦装置、９３…ウェイトレバー振れ防止レール、９５…ブラケット、９７…フェルト、９９…錘。
【図１】
2005049790.tif 000003
【図２】
2005049790.tif 000004
【図３】
2005049790.tif 000005
【図４】
2005049790.tif 000006
【図５】
2005049790.tif 000007
【図６】
2005049790.tif 000008
【図７】
2005049790.tif 000009
【図８】
2005049790.tif 000010
【図９】
2005049790.tif 000011
【図１０】
2005049790.tif 000012
【図１１】
2005049790.tif 000013